(57)【要約】  送風機は、吸込み部３及び吹出し部５を有するケーシング７と、ファン９と、ファンガード１１とを備え、ファンは、ボス部２３と、複数の翼２５とを有し、ファンガードには、ファン側に向けて突出する筒状外形を有するガイド部３１が設けられ、ガイド部の先端部の外形ライン４１による先端形状４３の中心は、ボス部の回転軸線ＲＡと一致し、ガイド部の根元部の外形ライン５１による根元形状５３の中心は、ボス部の回転軸線に対してずれている。
2015001663.tif 000002
【特許請求の範囲】
【請求項１】
吸込み部及び吹出し部を有するケーシングと、
前記ケーシング内に回転可能に設けられたファンと、
前記ケーシングの前記吹出し部に設けられたファンガードとを備えた送風機であって、
前記ファンは、ボス部と、該ボス部の外周面に設けられた複数の翼とを有しており、
前記ファンガードには、該ファン側に向けて突出する筒状外形を有するガイド部が設けられており、
前記ガイド部の先端部の外形ラインによる先端形状の中心は、前記ボス部の回転軸線と一致しており、
前記ガイド部の根元部の外形ラインによる根元形状の中心は、前記ボス部の回転軸線に対してずれている、
送風機。
【請求項２】
前記ファンの入口側においては、前記ボス部の回転軸線を挟んで径方向の一方側が他方側よりも通風抵抗が大きくなっており、
前記通風抵抗が相対的に大きい一方側における前記ガイド部の根元部の外形ラインと前記ボス部の回転軸線との距離は、前記通風抵抗が相対的に小さい他方側における前記ガイド部の根元部の外形ラインと前記ボス部の回転軸線との距離よりも大きい、
請求項１の送風機。
【請求項３】
前記ファンガードは、格子状に並ぶ複数のリブ部を有しており、
前記通風抵抗が相対的に大きい前記一方側における前記複数のリブ部の間隔の方が、前記通風抵抗が相対的に小さい前記他方側における前記複数のリブ部の間隔よりも大きいか、あるいは、前記通風抵抗が相対的に大きい前記一方側における前記複数のリブ部の方が、前記通風抵抗が相対的に小さい前記他方側における前記複数のリブ部よりも、前記ボス部の回転軸線に対して大きく傾斜している、ように構成されている、
請求項２の送風機。
【請求項４】
前記ガイド部は、前記根元部から前記先端部まで前記ボス部の回転軸線に沿って延び、内部を気流が通過可能な筒状体である、
請求項１〜３の何れか一項の送風機。
【請求項５】
前記１〜４の何れ一項の送風機において、前記ケーシング内に熱交換器がさらに配置された、
室外機。
【請求項６】
前記ケーシング内には、左右一方に、前記ファンが配置された送風室が設けられ、左右他方に、機械室が設けられており、
前記ファンの入口仮想面でみて、前記ボス部の回転軸線と前記送風室の内壁面との距離が最も小さい周方向位置において、前記ガイド部の根元部の外形ラインと前記ボス部の回転軸線との距離が、最大となる、
請求項５の室外機。
【請求項７】
前記ガイド部の根元部の外形ラインによる根元形状の中心は、前記ボス部の回転軸線に対して、第１方向と第２方向との二つの方向にずれており、
前記第１方向は、前記ファンの入口仮想面でみて、前記ボス部の回転軸線と前記送風室の内壁面との距離が最も小さい周方向位置において、前記ボス部の回転軸線から径方向外側へと向かう方向であり、
前記第２方向は、前記第１方向と直交する方向であって、前記ボス部の回転軸線と前記送風室の内壁面との距離が最も小さい周方向位置を基準にみて、前記ファンの回転方向前方側となる方向である、
請求項６の室外機。
【請求項８】
前記ケーシングは、ベルマウス部を上部に有すると共に、ボディ部を下部に有し、
前記ベルマウス部内には、前記ファンが配置され、該ベルマウス部の上部には前記ファンガードが設けられており、
前記ボディ部内には、対向する一方の側面に、前記熱交換器が配置され、対向する他方の側面に、電気部品ボックスが配置されており、
前記ボス部の回転軸線と前記電気部品ボックスとの水平距離が最も小さい周方向位置において、前記ガイド部の根元部の外形ラインと前記ボス部の回転軸線との距離が、最大となる、
請求項５の室外機。
【請求項９】
前記ガイド部の根元部の外形ラインによる根元形状の中心は、前記ボス部の回転軸線に対して、第１方向と第２方向との二つの方向にずれており、
前記第１方向は、前記ボス部の回転軸線から、前記ボス部の回転軸線と前記電気部品ボックスとの水平距離が最も小さい周方向位置において、前記ボス部の回転軸線から径方向外側へと向かう方向であり、
前記第２方向は、前記第１方向と直交する方向であって、前記ボス部の回転軸線と前記電気部品ボックスとの水平距離が最も小さい周方向位置を基準にみて、前記ファンの回転方向前方側となる方向である、
請求項８の室外機。
【発明の詳細な説明】
【技術分野】
【０００１】
本発明は、送風機及び室外機に関するものである。
【背景技術】
【０００２】
軸流ファンは、回転中心部分にあるボス部と、そのボス部の外周面から径方向外側に延びるように形成された複数の翼とを有している。軸流ファンにおけるボス部の下流側では、各翼を通過した吹出し流と、ボス部のすぐ下流の領域の淀んだ流れとが混合して、逆流や渦が含まれる乱れた流れになっており、そうした乱れた流れはエネルギー損失や騒音増加の原因になる。【０００３】
ここで、従来の軸流ファンを備えた送風装置として、特許文献１には、軸流ファンの下流側に、下流に向かって径が拡大するコーン状のガイドを設けて、吹出し流のはく離を抑制する構造が開示されている。【０００４】
また、特許文献２には、羽根車の下流側に径が拡大するガイドを取付け、ガイドの斜面に溝を付けた構成が開示されている。
【先行技術文献】
【特許文献】
【０００５】
【特許文献１】実開昭５７−７５１９９号公報
【特許文献２】特開２００１−１４０７９７号公報
【発明の概要】
【発明が解決しようとする課題】
【０００６】
前述したように、軸流ファンにおけるボス部の下流側では、エネルギー損失や騒音増加の原因になる乱れた流れが生じており、こうした流れに対処し、エネルギー損失や騒音増加を抑制することが望まれる。しかしながら、本発明者等の検討としたところ、こうした乱れた流れは、ファンが一回転する間の周方向位置の状態の差異に依存して、複雑な様子を示す。また、前述した特許文献１及び２に開示されたガイドは何れも、単純に整流や剥離防止のためのものであり、ファンが一回転する間の周方向位置の状態の差異に対処できる構成ではない。【０００７】
本発明は、上記に鑑みてなされたものであり、ファンの回転周方向の全体にわたってボス部の下流側での流れの乱れを低減することができる、送風機及び室外機を提供することを目的とする。
【課題を解決するための手段】
【０００８】
上述した目的を達成するため、本発明は、吸込み部及び吹出し部を有するケーシングと、前記ケーシング内に回転可能に設けられたファンと、前記ケーシングの前記吹出し部に設けられたファンガードとを備えた送風機であって、前記ファンは、ボス部と、該ボス部の外周面に設けられた複数の翼とを有しており、前記ファンガードには、該ファン側に向けて突出する筒状外形を有するガイド部が設けられており、前記ガイド部の先端部の外形ラインによる先端形状の中心は、前記ボス部の回転軸線と一致しており、前記ガイド部の根元部の外形ラインによる根元形状の中心は、前記ボス部の回転軸線に対してずれている。
好適には、前記ファンの入口側においては、前記ボス部の回転軸線を挟んで径方向の一方側が他方側よりも通風抵抗が大きくなっており、前記通風抵抗が相対的に大きい一方側における前記ガイド部の根元部の外形ラインと前記ボス部の回転軸線との距離は、前記通風抵抗が相対的に小さい他方側における前記ガイド部の根元部の外形ラインと前記ボス部の回転軸線との距離よりも大きい。
好適には、前記ファンガードは、格子状に並ぶ複数のリブ部を有しており、前記通風抵抗が相対的に大きい前記一方側における前記複数のリブ部の間隔の方が、前記通風抵抗が相対的に小さい前記他方側における前記複数のリブ部の間隔よりも大きいか、あるいは、前記通風抵抗が相対的に大きい前記一方側における前記複数のリブ部の方が、前記通風抵抗が相対的に小さい前記他方側における前記複数のリブ部よりも、前記ボス部の回転軸線に対して大きく傾斜している、ように構成されている。
好適には、前記ガイド部は、前記根元部から前記先端部まで前記ボス部の回転軸線に沿って延び、内部を気流が通過可能な筒状体である。【０００９】
同目的を達成する本発明は、上述した送風機において、前記ケーシング内に熱交換器がさらに配置された、室外機も提供する。
好適には、前記ケーシング内には、左右一方に、前記ファンが配置された送風室が設けられ、左右他方に、機械室が設けられており、前記ファンの入口仮想面でみて、前記ボス部の回転軸線と前記送風室の内壁面との距離が最も小さい周方向位置において、前記ガイド部の根元部の外形ラインと前記ボス部の回転軸線との距離が、最大となる。
また、その場合、前記ガイド部の根元部の外形ラインによる根元形状の中心は、前記ボス部の回転軸線に対して、第１方向と第２方向との二つの方向にずれており、前記第１方向は、前記ファンの入口仮想面でみて、前記ボス部の回転軸線と前記送風室の内壁面との距離が最も小さい周方向位置において、前記ボス部の回転軸線から径方向外側へと向かう方向であり、前記第２方向は、前記第１方向と直交する方向であって、前記ボス部の回転軸線と前記送風室の内壁面との距離が最も小さい周方向位置を基準にみて、前記ファンの回転方向前方側となる方向であるようにしてもよい。
あるいは、好適には、前記ケーシングは、ベルマウス部を上部に有すると共に、ボディ部を下部に有し、前記ベルマウス部内には、前記ファンが配置され、該ベルマウス部の上部には前記ファンガードが設けられており、前記ボディ部内には、対向する一方の側面に、前記熱交換器が配置され、対向する他方の側面に、電気部品ボックスが配置されており、前記ボス部の回転軸線と前記電気部品ボックスとの水平距離が最も小さい周方向位置において、前記ガイド部の根元部の外形ラインと前記ボス部の回転軸線との距離が、最大となる。
また、その場合、前記ガイド部の根元部の外形ラインによる根元形状の中心は、前記ボス部の回転軸線に対して、第１方向と第２方向との二つの方向にずれており、前記第１方向は、前記ボス部の回転軸線から、前記ボス部の回転軸線と前記電気部品ボックスとの水平距離が最も小さい周方向位置において、前記ボス部の回転軸線から径方向外側へと向かう方向であり、前記第２方向は、前記第１方向と直交する方向であって、前記ボス部の回転軸線と前記電気部品ボックスとの水平距離が最も小さい周方向位置を基準にみて、前記ファンの回転方向前方側となる方向であるようにしてもよい。
【発明の効果】
【００１０】
本発明によれば、ファンの回転周方向の全体にわたってボス部の下流側での流れの乱れを低減することができる。
【図面の簡単な説明】
【００１１】
【図１】本発明の実施の形態１に係る室外機の構成を模式的に示す平面図である。
【図２】本実施の形態１に関し、ファンガードを、ファンの回転軸線に沿ってファン側から見た状態を示す図である。
【図３】静圧差と風量との関係でみた、ファンにおける空気の流れ方の違いを示す図である。
【図４】本発明の実施の形態２に関する、図２と同態様の図である。
【図５】本発明の実施の形態３に関する、図２と同態様の図である。
【図６】本発明の実施の形態４に関する、図１と同態様の図である。
【図７】本発明の実施の形態５に関する、図２と同態様の図である。
【図８】ファンガードの複数のリブ部を、図７のＶＩＩＩ−ＶＩＩＩ線に沿って平面的にみた図である。
【図９】本発明の実施の形態６に関し、ガイド部の根元形状の、ファンの回転軸線に対するずれ態様を説明する図である。
【図１０】本発明の実施の形態７に係る空気調和機の室外機の外観を示す斜視図である。
【図１１】図１０のＸ−Ｘ線に沿って見た場合の空気調和機の室外機の内部構成を示す図である。
【発明を実施するための形態】
【００１２】
以下、本発明の実施の形態について添付図面に基づいて説明する。なお、図中、同一符号は同一又は対応部分を示すものとする。
【００１３】
実施の形態１．
図１は、本発明の実施の形態１に係る室外機の構成を模式的に示す平面図である。室外機１は、いわゆるパッケージエアコン室外機の一例であり、吸込み部３及び吹出し部５を有するケーシング７と、ケーシング７内に回転可能に設けられた軸流プロペラファン等のファン９と、ケーシング７の吹出し部５に設けられたファンガード１１とを少なくとも備えている。
【００１４】
ケーシング７内には、左右一方（図示では図１の紙面右側）に、ファン９が配置された送風室１３が設けられ、左右他方（図１の紙面左側）に、機械室１５が設けられている。送風室１３と機械室１５との間は、仕切壁１７によって仕切られている。
【００１５】
吸込み部３は、送風室１３におけるケーシング７の背面７ａ及び側面７ｂに形成されており、吹出し部５は、送風室１３におけるケーシング７の正面７ｃに形成されている。
【００１６】
送風室１３内には、熱交換器１９、ファン９及びベルマウス２１が収容されている。熱交換器１９は、ケーシング７の背面７ａ及び側面７ｂの吸込み部３に沿って、平面視、Ｌ字状に延びている。ファン９は、熱交換器１９の下流に回転可能に設けられており、周知のようにファンモータの駆動力によって回転する。さらに、ベルマウス２１は、ファン９を囲むように、ファン９の径方向外側に設けられている。
【００１７】
ファン９は、ボス部２３と、複数の翼２５とを有している。ボス部２３は、回転中心部分（回転軸線ＲＡを含むその近傍）に位置した円柱状の部分である。複数の翼２５はそれぞれ、ボス部２３の外周面から径方向外側に延びるように形成されている。
【００１８】
このような構成により、ファン９が回転すると、吸込み部３より吸込まれた空気が、熱交換器１９を通り抜け、ファン９により吹出し部５に向けて搬送され、吹出し部５のファンガード１１を通り抜けて、ケーシング７の外に吹き出される。
【００１９】
なお、機械室１５は、周知の態様に構成されており、例を挙げると、熱交換器１９を含む冷凍回路の冷媒流通に関する制御や、ファン９の駆動に関する制御等に関連した機器が収納されている。
【００２０】
ファンガード１１には、ファン９側に向けて突出する筒状外形を有するガイド部３１が設けられている。図１及び図２に基づいて、ファンガード１１及びガイド部３１の詳細について説明する。図２は、本実施の形態１に関し、ファンガードを、ファン（ボス部）の回転軸線ＲＡに沿ってファン側から見た状態を示す図である。
【００２１】
ファンガード１１は、格子状に並ぶ複数のリブ部を有している。本実施の形態１では、複数のリブ部として、上下方向に延びる複数の主リブ部３３と、左右方向に延びる複数の副リブ部３５とが、ほぼ直角に交差している。複数の主リブ部３３は、主に、ファン９に手や異物が接触する事態を防止することを意図しており、複数の副リブ部３５は、主リブ部３３の歪みや変形を抑制することを意図している。
【００２２】
ガイド部３１は、ファンの回転軸線ＲＡに沿って延びており、一例として、本実施の形態１では、截頭円錐体状の中実の部分である。ガイド部３１の突出の先端部（ボス部２３に近い端部）の外形ライン４１による先端形状４３の中心（図心）ＣＴは、ボス部２３の回転軸線ＲＡと、一致している。特に、本実施の形態１では、ガイド部３１の先端部の外形ライン４１による先端形状４３は、円であり、先端形状４３の円の形状、面積及び中心は、ボス部２３の投影された端面形状の円の形状、面積及び中心と一致している。
【００２３】
一方、ガイド部３１の突出の根元部（ファンガード１１につながる突出の根元仮想面）の外形ライン５１による根元形状５３の中心（図心）ＢＴは、ボス部２３の回転軸線ＲＡに対して後述する向きにずれている。また、ガイド部３１の突出の根元部（ファンガード１１につながる突出の根元仮想面）の外形ライン５１と、ボス部２３の回転軸線ＲＡとの距離については、図２の紙面左側（後述する通風抵抗が相対的に大きい一方側）の距離の方が、紙面右側（後述する通風抵抗が相対的に小さい一方側）の距離よりも大きくなっている。
【００２４】
さらに、根元形状５３と先端形状４３との関係は、図２のように回転軸線ＲＡ方向に投影的にみて、ガイド部３１の根元部の外形ライン５１の全体が、ガイド部３１の先端部の外形ライン４１よりも径方向外側に位置するか、あるいは、外形ライン５１の一部は外形ライン４１と重なり且つ外形ライン５１の残りの部分は外形ライン４１よりも径方向外側に位置する（図２は前者の態様を図示）。
【００２５】
このため、ガイド部３１の先端部の外形ライン４１と、ガイド部３１の突出の根元部の外形ライン５１との間で延びる、ガイド部３１の周側面６１は、ガイド部３１の先端部に近いほど回転軸線ＲＡに近づく向きに傾斜しており（換言すると根元形状５３から先端形状４３に向けて先細っており）、その周側面６１の傾きは、周方向にわたって一定ではなく、周方向位置によって異なっている。
【００２６】
続いて、上記のようにガイド部３１の根元部の外形ライン５１と、ボス部２３の回転軸線ＲＡとの距離が、図２の紙面左側の方が、紙面右側の距離よりも大きくなっていることにつき説明する。
【００２７】
一般に、パッケージエアコン室外機においては、ケーシング内に送風室と機械室とが設けられるため、送風室において回転軸線よりも機械室側のスペースは、回転軸線よりも機械室との反対側のスペースよりも狭くなることが多い。すなわち、図１に示すように、回転軸線ＲＡと仕切壁１７との距離Ｌ１＜回転軸線ＲＡとケーシング７における機械室１５の反対側の側面７ｂとの距離Ｌ２となる。このため、図１において、ファン９の上流端において回転軸線ＲＡと直交する入口仮想面ＥＰ１を考えた場合、この仮想面上において、回転軸線ＲＡよりも機械室１５側（紙面左側）の吸込み流路は、回転軸線ＲＡよりも機械室１５との反対側（紙面右側）の吸込み流路よりも小さく、つまり、回転軸線ＲＡを挟んで径方向の一方側（水平方向となる径方向の紙面左側）が他方側（水平方向となる径方向の紙面右側）よりも通風抵抗が大きくなっている。これに起因して、本実施の形態１では、図２に示したように、ガイド部３１の根元部の外形ライン５１と、ボス部２３の回転軸線ＲＡとの距離は、図２の紙面左側の方が、紙面右側の距離よりも大きくなるようにしている。より詳細には、ファンの入口仮想面ＥＰ１でみて、ボス部２３の回転軸線ＲＡと送風室１３の内壁面である仕切壁１７との距離が最も小さい周方向位置において、ガイド部３１の根元部の外形ライン５１とボス部２３の回転軸線ＲＡとの距離が、最大値であるのが好適である。
【００２８】
さらに、根元部の外形ライン５１と回転軸線ＲＡとの距離を上記のようにしたことにつき説明する。図３は、静圧差と風量との関係でみた、ファンにおける空気の流れ方の違いを示す図である。相対的に通風抵抗が小さい流れは、風量が大きく静圧差が小さい流れであり、図３におけるＥＸ２として図示されるように、流れは相対的に真直ぐに流れる。一方、相対的に通風抵抗が大きい流れは、風量が小さく静圧差が大きい流れであり、図３におけるＥＸ１として図示されるように、流れはファン出口において相対的に径方向外側に広がって流れる。ＥＸ１の流れでも、ＥＸ２の流れでも、ボス部２３のすぐ下流側には、逆流や渦が含まれる乱れた流れ６３が生じ、特に通風抵抗が大きいＥＸ１の流れでは、相対的に広い範囲で乱れた流れ６３が生じる。これらの流れの状態を、上述したパッケージエアコン室外機に当てはめると、回転軸線ＲＡよりも機械室１５側（紙面左側）の流れは、相対的に通風抵抗が大きいＥＸ１の流れであり、すなわち、ファン９の出口において相対的に径方向外側に広がった流れとなる。また、回転軸線ＲＡよりも機械室１５との反対側（紙面右側）の流れは、相対的に通風抵抗が小さいＥＸ２の流れであり、すなわち、ファン９の出口において相対的に真直ぐに進行する流れとなる。これらの流れにそれぞれ合わせるように、ガイド部３１は、通風抵抗が相対的に大きい一方側における根元部の外形ライン５１と回転軸線ＲＡとの距離ｇ１は、通風抵抗が相対的に小さい他方側におけるガイド部の根元部の外形ライン５１と回転軸線ＲＡとの距離ｇ２よりも大きくされている。
【００２９】
これにより、ファンの回転周方向の全体にわたって、ガイド部３１の周側面６１が、ファンから吹出した主流に沿うこととなり、且つ、ガイド部３１が吹出した主流の径方向内側の空間を閉塞することとなり、ボス部の下流側での流れの乱れを低減することができる。
【００３０】
以上のように構成された本実施の形態１に係る室外機によれば、ガイド部の根元部の外形ラインによる根元形状の中心を、ボス部の回転軸線に対してずらすことで、ファンから吹出した流れが周方向に一様ではない場合においても、ファンの回転周方向の全体にわたってボス部の下流側での流れの乱れを低減することができる。また、特に、パッケージエアコン室外機では、ボス部の回転軸線を挟んで機械室側と機械室の反対側とで通風抵抗が異なるが、本実施の形態１では、通風抵抗が相対的に大きい機械室側におけるガイド部の根元部の外形ラインとボス部の回転軸線との距離は、通風抵抗が相対的に小さい機械室の反対側におけるガイド部の根元部の外形ラインとボス部の回転軸線との距離よりも大きくすることで、ファンの回転周方向の全体にわたってボス部の下流側での流れの乱れを低減することができる。特に、通風抵抗が相対的に大きい機械室側では、径方向外側に広がる流れに対して、ガイド部により乱れた流れの発生を低減することができ、通風抵抗が相対的に小さい機械室の反対側では、真直ぐに近い流れに対して、ガイド部の周側面が流れを阻害することが回避されている。
【００３１】
実施の形態２．
次に、本発明の実施の形態２について説明する。図４は、本実施の形態２に関する、図２と同態様の図である。なお、本実施の形態２は、以下に説明する部分を除いては、上述した実施の形態１と同様であるものとする。
【００３２】
本発明において、ガイド部は、先端部及び根元部の外形ラインが円形であることには限定されず、本実施の形態２は、他の一例として、先端部及び根元部の外形ラインが多角形である態様を示す。すなわち、本実施の形態２のガイド部１３１は、截頭角錐体であり、図４に示されるように、先端部の外形ライン１４１及び根元部の外形ライン１５１の双方が、多角形（図示例では八角形）をなしている。
【００３３】
本実施の形態２においても、実施の形態１と同様、ガイド部１３１の外形ライン１４１による先端形状１４３の中心（図心）ＣＴは、ボス部２３の回転軸線ＲＡと、一致している。また、ガイド部１３１の外形ライン１５１による根元形状１５３の中心（図心）ＢＴは、ボス部２３の回転軸線ＲＡに対してずれている。それにより、ガイド部１３１の突出の根元部の外形ライン１５１と、ボス部２３の回転軸線ＲＡとの距離は、図４の紙面左側（機械室側、つまり通風抵抗が相対的に大きい一方側）の距離の方が、紙面右側（機械室と反対側、つまり通風抵抗が相対的に小さい一方側）の距離よりも大きくなっている。
【００３４】
かかる本実施の形態２によっても、実施の形態１と同様、ファンの回転周方向の全体にわたってボス部の下流側での流れの乱れを低減することができる。
【００３５】
実施の形態３．
次に、本発明の実施の形態３について説明する。図５は、本実施の形態３に関する、図２と同態様の図である。なお、本実施の形態３は、以下に説明する部分を除いては、上述した実施の形態１又は２と同様であるものとする。
【００３６】
本発明において、ガイド部は、先端部及び根元部の外形ラインが、双方とも、真円または正多角形であってもよい。なお、図５は、双方とも真円である場合を例に示す。本実施の形態３のガイド部２３１は、截頭円錐体であり、図５に示されるように、先端部の外形ライン２４１は、中心（図心）ＣＴを有する真円であり、根元部の外形ライン２５１は、中心（図心）ＢＴを有する真円である。
【００３７】
本実施の形態３においても、実施の形態１と同様、ガイド部２３１の外形ライン２４１による先端形状２４３の中心（図心）ＣＴは、ボス部２３の回転軸線ＲＡと、一致している。また、ガイド部２３１の外形ライン２５１による根元形状２５３の中心（図心）ＢＴは、ボス部２３の回転軸線ＲＡに対してずれている。それにより、ガイド部２３１の突出の根元部の外形ライン２５１と、ボス部２３の回転軸線ＲＡとの距離は、図５の紙面左側（機械室側、つまり通風抵抗が相対的に大きい一方側）の距離の方が、紙面右側（機械室と反対側、つまり通風抵抗が相対的に小さい一方側）の距離よりも大きくなっている。
【００３８】
かかる本実施の形態３によっても、実施の形態１と同様、ファンの回転周方向の全体にわたってボス部の下流側での流れの乱れを低減することができる。
【００３９】
実施の形態４．
次に、本発明の実施の形態４について説明する。図６は、本実施の形態４に関する、図１と同態様の図である。なお、本実施の形態４は、以下に説明する部分を除いては、上述した実施の形態１〜３の何れか又はそれらの組み合わせと同様であるものとする。
【００４０】
本発明において、ガイド部は、先端部及び根元部が閉塞された面を有することには限定されない。すなわち、本実施の形態４は、本発明において、ガイド部の先端部及び根元部が開放された例を示す。なお、ガイド部の先端部及び根元部の外形ラインは、円でも多角形でもよい。
【００４１】
ガイド部３３１は、根元部から先端部までボス部２３の回転軸線ＲＡに沿って延び、内部を気流が通過可能な筒状体である。ガイド部３３１の周側面３６１の上流縁部が、先端部の外形ラインを担っており、周側面３６１の下流縁部が、根元部の外形ラインを担っている。そして、先端部の外形ライン自体及び根元部の外形ライン自体が円または多角形を成しており、先端部の外形ライン及び根元部の外形ラインのそれぞれ内側が開口している。
【００４２】
本実施の形態４においても、先端部の外形ライン自体及び根元部の外形ライン自体は、上述した実施の形態１〜３の何れかと同様であり、先端部の外形ラインによる先端形状の中心（図心）ＣＴは、ボス部２３の回転軸線ＲＡと、一致し、根元部の外形ラインによる根元形状の中心（図心）ＢＴは、ボス部２３の回転軸線ＲＡに対してずれている。また、それにより、根元部の外形ラインとボス部の回転軸線ＲＡとの距離は、図６の紙面左側（機械室側、つまり通風抵抗が相対的に大きい一方側）の距離の方が、紙面右側（機械室と反対側、つまり通風抵抗が相対的に小さい一方側）の距離よりも大きくなっている。
【００４３】
かかる本実施の形態４によっても、実施の形態１と同様、ファンの回転周方向の全体にわたってボス部の下流側での流れの乱れを低減することができる。さらに、本実施の形態４では、ガイド部が根元部及び先端部が開口した中空の筒状体であることから、通風抵抗が相対的に大きい、径方向外側に広がる流れに対しては、逆流の発生自体を抑制する代わりにガイド部内部側の逆流がガイド部外側の主流に干渉するのを防止することができ、通風抵抗が相対的に小さい、真直ぐに近い流れに対しては、ガイド部内部側への流れも許容し、よりガイド部の周側面が流れを阻害しないようにすることができる。
【００４４】
実施の形態５．
次に、本発明の実施の形態５について説明する。図７は、本実施の形態５に関する、図２と同態様の図である。図８は、ファンガードの複数のリブ部を、図７のＶＩＩＩ−ＶＩＩＩ線に沿って平面的にみた図である。なお、本実施の形態５は、以下に説明する部分を除いては、上述した実施の形態１〜４の何れか又はそれらの組み合わせと同様であるものとし、それらの一例として、図７は、実施の形態１のファンガードに適用した場合を示している。
【００４５】
ファンガード４１１は、格子状に並ぶ複数の主リブ部４３３と複数の副リブ部４３５とを有している。上下方向に延びる複数の主リブ部４３３と、左右方向に延びる複数の副リブ部４３５とは、ほぼ直角に交差している。複数の主リブ部４３３は、主に、ファン９に手や異物が接触する事態を防止することを意図しており、複数の副リブ部４３５は、主リブ部４３３の歪みや変形を抑制することを意図している。
【００４６】
本実施の形態５では、通風抵抗が相対的に大きい左右の一方側すなわち機械室側における主リブ部４３３の左右方向間隔ＬＤ１の方が、通風抵抗が相対的に小さい左右の他方側すなわち機械室の反対側における主リブ部４３３の左右方向間隔ＬＤ２よりも大きい。加えて、通風抵抗が相対的に大きい左右の一方側すなわち機械室側における主リブ部４３３は、風抵抗が相対的に小さい左右の他方側すなわち機械室の反対側における主リブ部４３３よりも、ファンの回転軸線ＲＡに対して大きく傾いている（下流側がファンの回転軸線ＲＡから離れる向きに傾いている）。
【００４７】
かかる本実施の形態４によっても、実施の形態１と同様、ファンの回転周方向の全体にわたってボス部の下流側での流れの乱れを低減することができる。さらに、本実施の形態５では、主リブ部の間隔と向きとを上記のようにしたため、通風抵抗が相対的に大きい、径方向外側に広がる流れに対して、ファンガード通過に伴う通風抵抗を相対的に低減することができ、ガイド部を挟んだ左右両側でバランスよく流れの乱れを低減することができる。
【００４８】
なお、上述した主リブ部の左右の間隔の関係と、左右の向き（傾斜）の関係とは、双方が必ず実施されていることには限定されず、主リブ部の左右の間隔の関係だけを、図８のように実施したり、主リブ部の左右の向き（傾斜）の関係だけを、図８のように実施したりすることもできる。
【００４９】
実施の形態６．
次に、本発明の実施の形態６について説明する。図９は、本実施の形態６に関し、ガイド部の根元形状の、ファンの回転軸線に対するずれ態様を説明する図である。なお、本実施の形態６は、以下に説明する部分を除いては、上述した実施の形態１〜５の何れか又はそれらの組み合わせと同様であるものとする。
【００５０】
本実施の形態６は、通風抵抗の偏りだけでなく、ファンの回転方向をも加味して、ガイド部５３１の根元形状５５３の中心ＢＴを、二方向にずらすものである。まず、前提として、ガイド部５３１の外形ライン５４１による先端形状５４３の中心ＣＴは、ボス部２３の回転軸線ＲＡと、一致している。一方、ガイド部５３１の外形ライン５５１による根元形状５５３の中心ＢＴは、ボス部２３の回転軸線ＲＡに対して、第１方向と第２方向との二つの方向にずれている。第１方向は、ファンの入口仮想面ＥＰ１でみてボス部２３の回転軸線ＲＡと送風室１３の内壁面との距離が最も小さい周方向位置において、ボス部２３の回転軸線ＲＡから径方向外側へと向かう方向Ｘであり、第２方向は、第１方向Ｘと直交する方向であって、ボス部２３の回転軸線ＲＡと送風室１３の内壁面との距離が最も小さい周方向位置を基準にみて、ファン９の回転方向ＲＤの前方側となる方向Ｙである。そして、ガイド部５３１の根元部の外形ライン５５１は、このように二方向にずれた中心ＢＴによる真円であり、先端部の外形ライン５４１は、ファンの回転軸線ＲＡと一致する中心ＣＴによる真円である。
【００５１】
かかる本実施の形態６によっても、実施の形態１と同様、ファンの回転周方向の全体にわたってボス部の下流側での流れの乱れを低減することができる。さらに、本実施の形態６では、径方向外側に広がる流れが受ける、ファンの回転の影響をも加味して、ガイド部の作用を発揮させることができる利点がある。
【００５２】
実施の形態７．
次に、本発明の実施の形態７について説明する。図１０は、本発明の実施の形態７に係る空気調和機の室外機の外観を示す斜視図である。図１１は、図１０のＸ−Ｘ線に沿って見た場合の空気調和機の室外機の内部構成を示す図である。室外機６０１は、いわゆるビル用マルチエアコン室外機の一例である。なお、本実施の形態７は、以下に説明する部分を除いては、上述した実施の形態１〜６の何れか又はそれらの組み合わせと同様であるものとする。
【００５３】
図１０に示されるように、室外機６０１のケーシング６０７は、ベルマウス部６６３を上部に有すると共に、ボディ部６６５を下部に有する。ベルマウス部６６３内には、ファン９が配置され、ベルマウス部６６３の上部にはファンガード６１１が設けられている。なお、ファンガード６１１のリブ構成については、上述した実施の形態の何れかと同様であるものとする。
【００５４】
ボディ部６６５は、平面視、矩形に形成されており、一面のパネル及び三面のメッシュプレートからなる四つの側面を有している。ボディ部６６５内には、平面視、概ねＵ字状に構成された熱交換器６１９が、三面のメッシュプレートの側面に沿うように配置されている。また、ボディ部６６５内には、熱交換器６１９と対向するように電気部品ボックス６６７が設けられている。電気部品ボックス６６７は、熱交換器６１９が沿う側面とは異なる側面であるパネルに沿うように配置されている。なお、電気部品ボックス６６７は、圧縮機やファンモータを駆動する基板を内蔵する。
【００５５】
これにより、室外機６０１では、ボディ部６６５の三つの側面（吸込み部）それぞれから、矢印６６９に示されるように空気がボディ部６６５内に吸込まれ、三つの熱交換機能面それぞれで熱交換され、ベルマウス部６６３の上面に設けられたファンガード６１１（吹出し部）から、矢印６７１に示されるように吐出される（トップフロータイプ）。
【００５６】
ファンガード６１１には、ファン９側に向けて突出する筒状外形を有するガイド部６３１が設けられている。ガイド部６３１は、上述した実施の形態の何れかのガイド部と同様に形成されている。ガイド部６３１においても、先端部の外形ラインによる先端形状の中心（図心）は、ボス部２３の回転軸線ＲＡと、一致している。
【００５７】
一方、ガイド部６３１の根元部の外形ラインによる根元形状の中心（図心）は、ボス部２３の回転軸線ＲＡに対してずれている。また、ガイド部６３１の根元部の外形ラインと、ボス部２３の回転軸線ＲＡとの距離は、図２の紙面左側の方の距離ｇ１が、紙面右側の距離ｇ２よりも大きくなっている。
【００５８】
一般に、ビル用マルチエアコン室外機では、ボディ部６６５内において、回転軸線よりも電気部品ボックス６６７側のスペースは、回転軸線よりも熱交換器６１９側のスペース（電気部品ボックス側と反対側のスペース）よりも狭くなることが多い。すなわち、図１１に示すように、回転軸線ＲＡと電気部品ボックス６６７との水平距離Ｌ１＜回転軸線ＲＡと熱交換器６１９との水平距離Ｌ２となる。このため、図１１において、ファン９の上流端において回転軸線ＲＡと直交し且つ電気部品ボックス６６７や熱交換器６１９を横断する高さの入口仮想面ＥＰ２を考えた場合、この仮想面上において、回転軸線ＲＡよりも電気部品ボックス６６７側（紙面左側）の吸込み流路は、回転軸線ＲＡよりも熱交換器６１９側の吸込み流路よりも小さく、つまり、回転軸線ＲＡを挟んで径方向の一方側（平面的にみて紙面左側）が他方側（平面的にみて紙面右側）よりも通風抵抗が大きくなっている。これに起因して、本実施の形態７では、ガイド部６３１の根元部の外形ラインと、ボス部２３の回転軸線ＲＡとの距離を、図１１の紙面左側の方が、紙面右側の距離よりも大きくしている。より詳細には、ボス部２３の回転軸線ＲＡと電気部品ボックス６６７との水平距離Ｌ１が最も小さい周方向位置において、ガイド部６３１の根元部の外形ラインとボス部２３の回転軸線ＲＡとの距離が、最大値であるのが好適である。
【００５９】
かかる本実施の形態７によれば、ビル用マルチエアコン室外機においても、実施の形態１と同様、ファンの回転周方向の全体にわたってボス部の下流側での流れの乱れを低減することができる。
【００６０】
実施の形態８．
次に、本発明の実施の形態８について説明する。上記実施の形態６は、パッケージエアコン室外機において、ガイド部の根元形状の中心を、二方向にずらしたものであったが、本実施の形態８は、ビル用マルチエアコン室外機において、上記実施の形態６同様、通風抵抗の偏りだけでなく、ファンの回転方向をも加味して、ガイド部の根元形状の中心を、二方向にずらすものである。
【００６１】
すなわち、詳細は、実施の形態６の説明及び図９と同様（図９を平面図としてみて解釈する態様）であるが、本実施の形態８においても、ガイド部の根元部の外形ラインによる根元形状の中心を、ボス部の回転軸線に対して、第１方向と第２方向との二つの方向にずらす。第１方向は、ボス部の回転軸線から、ボス部の回転軸線と電気部品ボックスとの水平距離が最も小さい周方向位置において、ボス部の回転軸線から径方向外側へと向かう方向である。第２方向は、第１方向と直交する方向であって、ボス部の回転軸線と電気部品ボックスとの水平距離が最も小さい周方向位置を基準にみて、ファンの回転方向前方側となる方向である。
【００６２】
かかる本実施の形態８によれば、ビル用マルチエアコン室外機においても、実施の形態６と同様、ファンの回転周方向の全体にわたってボス部の下流側での流れの乱れを低減することができると共に、径方向外側に広がる流れが受ける、ファンの回転の影響をも加味して、ガイド部の作用を発揮させることができる利点がある。
【００６３】
以上、好ましい実施の形態を参照して本発明の内容を具体的に説明したが、本発明の基本的技術思想及び教示に基づいて、当業者であれば、種々の改変態様を採り得ることは自明である。
【００６４】
また、以上に示した複数の実施の形態は、何れも本発明の送風機を、空気調和機の室外機として実施した場合の例であり、本発明は、室外機だけに限定されるものではない。よって、図１に示した態様は、機械室以外のレイアウト上の条件より、ファンの回転軸線ＲＡの一方側が他方側よりも通風抵抗が大きくなっている構成に広く適用することができ、図１１に示した態様は、電気部品ボックスや熱交換器以外のレイアウト上の条件より、ファンの回転軸線ＲＡの一方側が他方側よりも通風抵抗が大きくなっている構成に広く適用することができる。
【符号の説明】
【００６５】
１，６０１  室外機、３  吸込み部、５  吹出し部、７，６０７  ケーシング、９  ファン、１１，４１１，６１１  ファンガード、１３  送風室、１９，６１９  熱交換器、２１  ベルマウス、２３  ボス部、２５  翼、３１，１３１，２３１，３３１，５３１  ガイド部、３３，４３３  主リブ部、３５，４３５  副リブ部、４１，１４１，２４１  先端部の外形ライン、４３，１４３，２４３  先端形状、５１，１５１，２５１  根元部の外形ライン、５３，１５３，２５３  根元形状、６１，３６１  周側面、６６３  ベルマウス部、６６５  ボディ部、６６７  電気部品ボックス。
【図１】
2015001663.tif 000003
【図２】
2015001663.tif 000004
【図３】
2015001663.tif 000005
【図４】
2015001663.tif 000006
【図５】
2015001663.tif 000007
【図６】
2015001663.tif 000008
【図７】
2015001663.tif 000009
【図８】
2015001663.tif 000010
【図９】
2015001663.tif 000011
【図１０】
2015001663.tif 000012
【図１１】
2015001663.tif 000013
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
吸込み部及び吹出し部を有するケーシングと、
前記ケーシング内に回転可能に設けられたファンと、
前記ケーシングの前記吹出し部に設けられたファンガードとを備えた送風機であって、
前記ファンは、ボス部と、該ボス部の外周面に設けられた複数の翼とを有しており、
前記ファンガードには、該ファン側に向けて突出する筒状外形を有するガイド部が設けられており、
前記ガイド部の先端部の外形ラインによる先端形状の中心は、前記ボス部の回転軸線と一致しており、
前記ガイド部の根元部の外形ラインによる根元形状の中心は、前記ボス部の回転軸線に対してずれている、
送風機。
【請求項２】
前記ガイド部の根元部の外形ラインによる根元形状の中心は、前記ファンの周囲の通風阻害要因に応じて、前記ボス部の回転軸線に対してずれている、
請求項１の送風機。
【請求項３】
前記ファンの入口側においては、前記ボス部の回転軸線を挟んで径方向の一方側が他方側よりも通風抵抗が大きくなっており、
前記通風抵抗が相対的に大きい前記一方側における前記ガイド部の根元部の外形ラインと前記ボス部の回転軸線との距離は、前記通風抵抗が相対的に小さい前記他方側における前記ガイド部の根元部の外形ラインと前記ボス部の回転軸線との距離よりも大きい、
請求項１又は２の送風機。
【請求項４】
前記ファンガードは、格子状に並ぶ複数のリブ部を有しており、
前記通風抵抗が相対的に大きい前記一方側における前記複数のリブ部の間隔の方が、前記通風抵抗が相対的に小さい前記他方側における前記複数のリブ部の間隔よりも大きいか、あるいは、前記通風抵抗が相対的に大きい前記一方側における前記複数のリブ部の方が、前記通風抵抗が相対的に小さい前記他方側における前記複数のリブ部よりも、前記ボス部の回転軸線に対して大きく傾斜している、ように構成されている、
請求項３の送風機。
【請求項５】
前記ガイド部は、前記根元部から前記先端部まで前記ボス部の回転軸線に沿って延び、内部を気流が通過可能な筒状体である、
請求項１〜４の何れか一項の送風機。
【請求項６】
前記１〜５の何れ一項の送風機において、前記ケーシング内に熱交換器がさらに配置された、
室外機。
【請求項７】
前記ケーシング内には、左右一方に、前記ファンが配置された送風室が設けられ、左右他方に、機械室が設けられており、
前記ファンの入口仮想面でみて、前記ボス部の回転軸線と前記送風室の内壁面との距離が最も小さい周方向位置において、前記ガイド部の根元部の外形ラインと前記ボス部の回転軸線との距離が、最大となる、
請求項６の室外機。
【請求項８】
前記ガイド部の根元部の外形ラインによる根元形状の中心は、前記ボス部の回転軸線に対して、第１方向と第２方向との二つの方向にずれており、
前記第１方向は、前記ファンの入口仮想面でみて、前記ボス部の回転軸線と前記送風室の内壁面との距離が最も小さい周方向位置において、前記ボス部の回転軸線から径方向外側へと向かう方向であり、
前記第２方向は、前記第１方向と直交する方向であって、前記ボス部の回転軸線と前記送風室の内壁面との距離が最も小さい周方向位置を基準にみて、前記ファンの回転方向前方側となる方向である、
請求項７の室外機。
【請求項９】
前記ケーシングは、ベルマウス部を上部に有すると共に、ボディ部を下部に有し、
前記ベルマウス部内には、前記ファンが配置され、該ベルマウス部の上部には前記ファンガードが設けられており、
前記ボディ部内には、対向する一方の側面に、前記熱交換器が配置され、対向する他方の側面に、電気部品ボックスが配置されており、
前記ボス部の回転軸線と前記電気部品ボックスとの水平距離が最も小さい周方向位置において、前記ガイド部の根元部の外形ラインと前記ボス部の回転軸線との距離が、最大となる、
請求項６の室外機。
【請求項１０】
前記ガイド部の根元部の外形ラインによる根元形状の中心は、前記ボス部の回転軸線に対して、第１方向と第２方向との二つの方向にずれており、
前記第１方向は、前記ボス部の回転軸線から、前記ボス部の回転軸線と前記電気部品ボックスとの水平距離が最も小さい周方向位置において、前記ボス部の回転軸線から径方向外側へと向かう方向であり、
前記第２方向は、前記第１方向と直交する方向であって、前記ボス部の回転軸線と前記電気部品ボックスとの水平距離が最も小さい周方向位置を基準にみて、前記ファンの回転方向前方側となる方向である、
請求項９の室外機。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
吸込み部及び吹出し部を有するケーシングと、
前記ケーシング内に回転可能に設けられたファンと、
前記ケーシングの前記吹出し部に設けられたファンガードとを備えた送風機であって、
前記ファンは、ボス部と、該ボス部の外周面に設けられた複数の翼とを有しており、
前記ファンガードには、該ファン側に向けて突出する筒状外形を有するガイド部が設けられており、
前記ガイド部の先端部の外形ラインによる先端形状の中心は、前記ボス部の回転軸線と一致しており、
前記ガイド部の根元部の外形ラインによる根元形状の中心は、前記ファンの周囲の通風阻害要因に応じて、前記ボス部の回転軸線に対してずれている、
送風機。
【請求項２】
吸込み部及び吹出し部を有するケーシングと、
前記ケーシング内に回転可能に設けられたファンと、
前記ケーシングの前記吹出し部に設けられたファンガードとを備えた送風機であって、
前記ファンは、ボス部と、該ボス部の外周面に設けられた複数の翼とを有しており、
前記ファンガードには、該ファン側に向けて突出する筒状外形を有するガイド部が設けられており、
前記ガイド部の先端部の外形ラインによる先端形状の中心は、前記ボス部の回転軸線と一致しており、
前記ガイド部の根元部の外形ラインによる根元形状の中心は、前記ボス部の回転軸線に対してずれており、
前記ファンの入口側においては、前記ボス部の回転軸線を挟んで径方向の一方側が他方側よりも通風抵抗が大きくなっており、
前記通風抵抗が相対的に大きい前記一方側における前記ガイド部の根元部の外形ラインと前記ボス部の回転軸線との距離は、前記通風抵抗が相対的に小さい前記他方側における前記ガイド部の根元部の外形ラインと前記ボス部の回転軸線との距離よりも大きい、
送風機。
【請求項３】
前記ファンガードは、格子状に並ぶ複数のリブ部を有しており、
前記通風抵抗が相対的に大きい前記一方側における前記複数のリブ部の間隔の方が、前記通風抵抗が相対的に小さい前記他方側における前記複数のリブ部の間隔よりも大きいか、あるいは、前記通風抵抗が相対的に大きい前記一方側における前記複数のリブ部の方が、前記通風抵抗が相対的に小さい前記他方側における前記複数のリブ部よりも、前記ボス部の回転軸線に対して大きく傾斜している、ように構成されている、
請求項２の送風機。
【請求項４】
前記ガイド部は、前記根元部から前記先端部まで前記ボス部の回転軸線に沿って延び、内部を気流が通過可能な筒状体である、
請求項１〜３の何れか一項の送風機。
【請求項５】
前記１〜４の何れ一項の送風機において、前記ケーシング内に熱交換器がさらに配置された、
室外機。
【請求項６】
前記ケーシング内には、左右一方に、前記ファンが配置された送風室が設けられ、左右他方に、機械室が設けられており、
前記ファンの入口仮想面でみて、前記ボス部の回転軸線と前記送風室の内壁面との距離が最も小さい周方向位置において、前記ガイド部の根元部の外形ラインと前記ボス部の回転軸線との距離が、最大となる、
請求項５の室外機。
【請求項７】
前記ガイド部の根元部の外形ラインによる根元形状の中心は、前記ボス部の回転軸線に対して、第１方向と第２方向との二つの方向にずれており、
前記第１方向は、前記ファンの入口仮想面でみて、前記ボス部の回転軸線と前記送風室の内壁面との距離が最も小さい周方向位置において、前記ボス部の回転軸線から径方向外側へと向かう方向であり、
前記第２方向は、前記第１方向と直交する方向であって、前記ボス部の回転軸線と前記送風室の内壁面との距離が最も小さい周方向位置を基準にみて、前記ファンの回転方向前方側となる方向である、
請求項６の室外機。
【請求項８】
前記ケーシングは、ベルマウス部を上部に有すると共に、ボディ部を下部に有し、
前記ベルマウス部内には、前記ファンが配置され、該ベルマウス部の上部には前記ファンガードが設けられており、
前記ボディ部内には、対向する一方の側面に、前記熱交換器が配置され、対向する他方の側面に、電気部品ボックスが配置されており、
前記ボス部の回転軸線と前記電気部品ボックスとの水平距離が最も小さい周方向位置において、前記ガイド部の根元部の外形ラインと前記ボス部の回転軸線との距離が、最大となる、
請求項５の室外機。
【請求項９】
前記ガイド部の根元部の外形ラインによる根元形状の中心は、前記ボス部の回転軸線に対して、第１方向と第２方向との二つの方向にずれており、
前記第１方向は、前記ボス部の回転軸線から、前記ボス部の回転軸線と前記電気部品ボックスとの水平距離が最も小さい周方向位置において、前記ボス部の回転軸線から径方向外側へと向かう方向であり、
前記第２方向は、前記第１方向と直交する方向であって、前記ボス部の回転軸線と前記電気部品ボックスとの水平距離が最も小さい周方向位置を基準にみて、前記ファンの回転方向前方側となる方向である、
請求項８の室外機。
【国際調査報告】
2015001663.tif 000014
2015001663.tif 000015
2015001663.tif 000016
2015001663.tif 000017